【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
後壁及び側壁を有するキャビネットと、前記キャビネットに取付けられた一つ以上の開口部を備え、音響板後部腔体部と磁気ドライバ後部腔体部とを切り離す隔壁と、前記隔壁の少なくとも一部分より上に固定された一つ以上の音響板と、前記音響板の一方又は両方の側面に取付けられた複数の音響板モータ要素と、前記隔壁上の開口部に配置された一つ以上の磁気ドライバを備え、前記音響板モータ要素が回転対称、鏡面対称及び並進対称を避けるようにして前記音響板に配置されている薄形スピーカ。
【請求項２】
後壁および側壁を有するキャビネットと、前記キャビネットに取付けられた一つ以上の開口部を備え、音響板後部腔体部と磁気ドライバ後部腔体部とを切り離す隔壁と、前記隔壁の少なくとも一部分より上に固定された一つ以上の音響板と、前記音響板の一方又は両方の側面に取付けられた複数の音響板モータ要素と、前記隔壁上の開口部に配置された一つ以上の磁気ドライバを備え、前記音響板モータ要素が回転対称、鏡面対称及び並進対称を避けるようにして前記音響板に配置され、前記音響板モータ要素が異なる大きさ、形、厚さ、金属化及び／又は組成物を有する圧電素子である薄形スピーカ。
【請求項３】
後壁及び側壁を有するキャビネットと、前記キャビネットに取付けられた一つ以上の開口部を備え、音響板後部腔体部と磁気ドライバ後部腔体部とを切り離す隔壁と、前記隔壁の少なくとも一部分より上に固定された一つ以上の音響板と、前記音響板の一方又は両方の側面に取付けられた複数の音響板モータ要素と、前記隔壁上の開口部に配置された一つ以上の磁気ドライバを備え、短脚が前記音響板に配置されて、前記隔壁に取付けられ、前記短脚が前記音響板に非対称に配置されている薄形スピーカ。
【請求項４】
後壁及び側壁を有するキャビネットと、前記キャビネットに取付けられた一つ以上の開口部を備え、音響板後部腔体部と磁気ドライバ後部腔体部とを切り離す隔壁と、前記隔壁の少なくとも一部分より上に固定された一つ以上の音響板と、前記音響板の一方又は両方の側面に取付けられた複数の音響板モータ要素と、前記隔壁上の開口部に配置された一つ以上の磁気ドライバを備え、磁気ドライバ後部腔体部を構成している壁のうちの一つの少なくとも一部分がエラストマの膜で覆われている薄形スピーカ。
【請求項５】
後壁及び側壁を有するキャビネットと、前記キャビネットに取付けられた一つ以上の開口部を備え、音響板後部腔体部と磁気ドライバ後部腔体部とを切り離す隔壁と、前記隔壁の少なくとも一部分より上に固定された一つ以上の音響板と、前記音響板の一方又は両方の側面に取付けられた複数の音響板モータ要素と、前記隔壁上の開口部に配置された一つ以上の磁気ドライバを備え、磁気ドライバ後部腔体部を構成している壁のうちの一つが圧電素子を含む薄形スピーカ。
【請求項６】
後壁及び側壁を有するキャビネットと、前記キャビネットに取付けられた一つ以上の開口部を備え、音響板後部腔体部と磁気ドライバ後部腔体部とを切り離す隔壁と、前記隔壁の少なくとも一部分より上に固定された一つ以上の音響板と、前記音響板の一方又は両方の側面に取付けられた複数の音響板モータ要素と、前記隔壁上の開口部に配置された一つ以上の磁気ドライバを備え、前記隔壁をスピーカキャビネットの後壁に接続する横筋かいを更に備える薄形スピーカ。
【請求項７】
前記横筋かいが前記磁気ドライバから充分な放射状の気流を許すように配置された複数のボードを備える請求項６に記載の薄形スピーカ。
【請求項８】
一対の横筋かいボードがポートに接続するチャネルを形成する請求項７に記載の薄形スピーカ。
【請求項９】
前記横筋かいがリーク経路によって接続されている磁気ドライバ後部腔体部の中に複数の音響チャネルを形成する請求項６に記載の薄形スピーカ。
【請求項１０】
前記リーク経路がスピーカキャビネット１０の壁のちょっと手前で横筋かい６４を終わりにすることによって形成されている請求項９に記載の薄形スピーカ。
【請求項１１】
前記横筋かいが異なる長さの複数の音響チャネルを磁気ドライバ後部腔体部の中に形成する請求項６に記載の薄形スピーカ。
【請求項１２】
前記横筋かいが磁気ドライバ後部腔体部の中に複数の音響チャネルを形成し、各音響チャンネルが磁気ドライバから最も遠くにあるチャネルの端における横筋かい構造用部材間の離隔距離に対する磁気ドライバに最も近いチャネルの端における横筋かい構造用部材間の離隔距離の比として定められる異なる拡大比を有する請求項６に記載の薄形スピーカ。
【請求項１３】
後壁及び側壁を有するキャビネットと、前記キャビネットに取付けられた一つ以上の開口部を備え、音響板後部腔体部と磁気ドライバ後部腔体部とを切り離す隔壁と、前記隔壁の少なくとも一部分より上に固定された一つ以上の音響板と、前記音響板の一方又は両方の側面に取付けられた複数の音響板モータ要素と、前記隔壁上の開口部に配置された一つ以上の磁気ドライバを備え、前記複数の音響板モータ要素、前記磁気ドライバ及びターミナル・カップに電気的に連結された分割回路を備える薄形スピーカ。
【請求項１４】
後壁及び側壁を有するキャビネットを形成する段階、キャビネットに一つ以上の開口部を含み、音響板後部腔体部及び磁気ドライバ後部腔体部を分離する隔壁を取付ける段階、隔壁の少なくとも一部分より上に一つ以上の音響板を固定する段階、複数の音響板モータ要素を回転対称、鏡面対称及び並進対称を避けるようにして前記音響板の一方又は両方に取付ける段階、
及び磁気ドライバを隔壁にある各開口部の中に挿入する段階を含む薄形スピーカを製作する方法。
【請求項１５】
一つ以上の音響板を隔壁より上に固定する段階が短脚を音響板に取付けること、及び短脚を隔壁に接続することを含む請求項１４に記載の方法。
【請求項１６】
短脚が音響板に非対称に配置されている請求項１５に記載の方法。
【請求項１７】
一つ以上の音響板を隔壁より上に固定する段階がスピーカキャビネットの縁に直接に音響板を取付けることを含む請求項１４に記載の方法。
【請求項１８】
横筋かいが隔壁とスピーカキャビネットの後壁を接続するように横筋かいを磁気ドライバの後部腔体部内に配置する段階をさらに含む請求項１４に記載の方法。
【請求項１９】
磁気ドライバの後部腔体部内に横筋かいを配置することがリーク経路によって接続される複数の音響チャネルを形成している請求項１８に記載の方法。
【請求項２０】
前記リーク経路がスピーカキャビネット１０の壁のちょっと手前で横筋かい６４を終わりにすることによって形成されている請求項１９に記載の薄形スピーカ。
【請求項２１】
磁気ドライバの後部腔体部内に横筋かいを配置することが異なる長さである複数の音響チャンネルを形成する請求項１８に記載の方法。
【請求項２２】
前記横筋かいを磁気ドライバ後部腔体部の中に配列することが複数の音響チャンネルを形成し、各音響チャンネルが磁気ドライバから最も遠くにあるチャネルの端における横筋かい構造用部材間の離隔距離に対する磁気ドライバに最も近いチャネルの端における横筋かい構造用部材間の離隔距離の比として定められる異なる拡大比を有する請求項１８に記載の薄形スピーカ。
【請求項２３】
ターミナル・カップに連結された分割回路に、音響板モータ要素と磁気ドライバを連結する段階を更に含んでいる請求項１４に記載の方法。